(57)【特許請求の範囲】
【請求項１】
被洗浄物を収容して下部に洗浄水を貯える貯水部を有する洗浄槽と、
前記貯水部に洗浄水を供給する洗浄水供給管と、
前記洗浄槽内に収容した被洗浄物に洗浄水を噴射する洗浄ノズルと、
前記貯水部の洗浄水を前記洗浄ノズルに送出する洗浄ポンプと、
前記貯水部内の洗浄水を排水する排水手段と、
前記洗浄機の操作をする操作パネルと、
前記洗浄水供給管から前記貯水部に洗浄水を供給する給水処理と、供給された洗浄水を前記洗浄ポンプにより前記洗浄ノズルから前記被洗浄物に噴射して洗浄する洗浄処理と、洗浄に用いた洗浄水を前記排水手段により排水する排水処理とからなる洗浄工程を少なくとも１回以上含む洗浄プログラムを実行するよう制御する制御装置とを備えた洗浄機において、
前記制御装置は前記洗浄プログラムを実行しているときに、前記操作パネルによる操作に基づいて前記洗浄工程の洗浄処理をスキップさせるスキップ手段を備えたことを特徴とする洗浄機。
【請求項２】
請求項１に記載の洗浄機において、
前記洗浄プログラムは前記洗浄工程を２回以上含むものであり、この２回以上含む洗浄工程の各洗浄処理を前記スキップ手段により選択的にスキップさせるようにしたことを特徴とする洗浄機。
【請求項３】
請求項１または２に記載の洗浄機において、
前記洗浄プログラムが完了するまでの残り時間を算出する算出手段と、
前記算出手段により算出された残り時間を表示する表示部とを備え、
前記スキップ手段を実行したときに前記算出手段を実行して前記表示部に残り時間を表示するようにしたことを特徴とする洗浄機。
【発明の詳細な説明】
【技術分野】
【０００１】
本発明は、洗浄機に関するものである。
【背景技術】
【０００２】
特許文献１には、被洗浄物を収容する洗浄槽と、洗浄槽内に洗浄水を供給する洗浄水供給管と、洗浄槽内に収容した被洗浄物に洗浄水を噴射する洗浄ノズルと、洗浄槽内の洗浄水を洗浄ノズルに送出する洗浄ポンプと、洗浄槽内の洗浄水を排水する排水ポンプとを備えた洗浄機が開示されている。この洗浄機では、洗浄水供給管から洗浄槽内に所定水位の洗浄水を供給する給水処理と、供給された洗浄水を洗浄ポンプにより洗浄ノズルから被洗浄物に噴射して洗浄する洗浄処理と、洗浄に用いた洗浄水を排水ポンプにより排水する排水処理とからなる洗浄工程と、この洗浄工程と同様に給水処理と、洗浄処理と、排水処理とからなる濯ぎ工程と、乾燥工程とからなる洗浄プログラムを実行している。
【先行技術文献】
【特許文献】
【０００３】
【特許文献１】特開２００２−２６３０４９号公報
【発明の概要】
【発明が解決しようとする課題】
【０００４】
上記のような洗浄機において、工場生産での最終段階における検査段階の動作確認またはユーザのもとでのメンテナンスの際の動作確認をするときに上記の洗浄プログラムを実行すると、給水処理、洗浄処理及び排水処理よりなる２つの洗浄工程と、乾燥工程とを実行するために、動作確認に要する時間が長くなっていた。特に、ユーザのもとでのメンテナンスの際に動作確認に要する時間が長くなると、ユーザがこの洗浄機を使用できない時間が長くなるとともに、メンテナンスに来た作業員の作業時間が長くなって、これに起因する作業費が高くなる問題があった。本発明はこのような問題を解決することを目的とする。
【課題を解決するための手段】
【０００５】
本発明は上記課題を解決するため、洗浄物を収容して下部に洗浄水を貯える貯水部を有する洗浄槽と、貯水部に洗浄水を供給する洗浄水供給管と、洗浄槽内に収容した被洗浄物に洗浄水を噴射する洗浄ノズルと、貯水部の洗浄水を洗浄ノズルに送出する洗浄ポンプと、貯水部内の洗浄水を排水する排水手段と、洗浄機の操作をする操作パネルと、洗浄水供給管から貯水部に洗浄水を供給する給水処理と、供給された洗浄水を洗浄ポンプにより洗浄ノズルから被洗浄物に噴射して洗浄する洗浄処理と、洗浄に用いた洗浄水を排水手段により排水する排水処理とからなる洗浄工程を少なくとも１回以上含む洗浄プログラムを実行するよう制御する制御装置とを備えた洗浄機において、制御装置は洗浄プログラムを実行しているときに、操作パネルによる操作に基づいて洗浄工程の洗浄処理をスキップさせるスキップ手段を備えたことを特徴とする洗浄機を提供するものである。
【０００６】
上記のように構成した洗浄機においては、制御装置は洗浄プログラムを実行しているときに、操作パネルによる操作に基づいて洗浄工程の洗浄処理をスキップさせるスキップ手段を備えたので、洗浄機の動作確認をするために洗浄プログラムを実行したときに、スキップ手段により洗浄工程の洗浄処理をスキップさせることにより、動作確認の時間を短縮させることができる。
【０００７】
上記のように構成した洗浄機においては、洗浄プログラムは洗浄工程を２回以上含むものであり、この２回以上含む洗浄工程の各洗浄処理をスキップ手段により選択的にスキップさせるようにしてもよく、このようにしたときには、洗浄機の動作確認をするときに、２回以上の洗浄工程のうちの不要な洗浄工程の洗浄処理だけを選択的にスキップさせることができるので、必要な洗浄工程の洗浄処理の動作確認をしたうえで、動作確認の時間を短縮させることができる。
【０００９】
上記のように構成した洗浄機においては、洗浄プログラムが完了するまでの残り時間を算出する算出手段と、算出手段により算出された残り時間を表示する表示部とを備え、スキップ手段を実行したときに算出手段を実行して表示部に残り時間を表示するのが好ましく、このようにしたときには、洗浄処理をスキップさせて短くなった正確な残り時間を知ることができる。
【図面の簡単な説明】
【００１０】
【図１】本発明による洗浄機の概略図である。
【図２】制御装置のブロック図である。
【図３】操作パネルを示す図である。
【図４】アルカリ性洗剤コースの洗浄プログラムを示すフローチャートである。
【発明を実施するための形態】
【００１１】
以下に、本発明による洗浄機の一実施形態を医療用器具を洗浄する洗浄機を用いて図面を参照して説明する。本発明による洗浄機１０は、医療用器具等の被洗浄物を収容して下部に洗浄水を貯える貯水部２１を有する洗浄槽２０と、洗浄槽２０の貯水部２１に洗浄水を供給する給水管２７と給湯管２８（洗浄水供給管）と、洗浄槽２０内に収容した医療用器具に洗浄水を噴射する洗浄ノズル２３、２４と、貯水部２１の洗浄水を洗浄ノズル２３、２４に送出する洗浄ポンプ２６と、貯水部２１内の洗浄水を排水する排水手段として排水管３０とこれに介装された排水ポンプ３１とを備えている。而して、この洗浄機１０は、給水管２７と給湯管２８との少なくとも一方から貯水部２１に洗浄水を供給する給水処理と、供給された洗浄水を洗浄ポンプ２６により洗浄ノズル２３、２４から医療用器具に噴射して洗浄する洗浄処理と、洗浄に用いた洗浄水を排水ポンプ３１により排水管３０から排水する排水処理とからなる洗浄工程（予洗浄工程、本洗浄工程及び２回の濯ぎ洗浄工程）を４回（少なくとも１回以上）含む洗浄プログラムを実行するよう制御する制御装置４０とを備え、制御装置４０は洗浄プログラムの各洗浄工程の少なくとも一つの洗浄処理をスキップさせるスキップ手段を備えている。以下に、この洗浄機１０について詳述する。
【００１２】
図１に示すように、この洗浄機１０は、ハウジング１１内に洗浄槽２０を備えており、洗浄槽２０は下部に洗浄水を貯える貯水部２１を一体的に有している。洗浄槽２０の貯水部２１の底部には、洗浄水の温度を検出する温度センサ２２が設けられている。洗浄槽２０の前面開口には医療用器具を収容するラック（図示省略）を出し入れする扉（図示省略）が設けられており、この扉はその下端を中心に回転可能にハウジング１１に支持されている。
【００１３】
洗浄槽２０の上面及び下面には洗浄水を噴射する洗浄ノズル２３、２４が回転可能に支持されている。これら洗浄ノズル２３、２４には洗浄槽２０の下部に設けられた貯水部２１から導出した循環パイプ２５が接続されており、循環パイプ２５には洗浄ポンプ２６が介装されている。貯水部２１内の洗浄水は洗浄ポンプ２６の作動により循環パイプ２５を介して洗浄ノズル２３、２４に送られ、洗浄ノズル２３、２４は洗浄水の噴出反力により回転しながら洗浄水を医療用器具に向けて噴射する。なお、医療用器具に噴射された洗浄水は落下して貯水部２１に還流する。
【００１４】
洗浄槽２０の後壁上部には洗浄水を供給するための給水口２０ａと給湯口２０ｂが設けられている。給水口２０ａには洗浄水供給管を構成する給水管２７が接続されており、給水管２７は水道等の図示しない給水源に接続されている。給水管２７には給水弁２７ａが介装されており、給水源の水は給水弁２７ａの開放により給水管２７を通って洗浄槽２０の貯水部２１に供給される。給湯口２０ｂには洗浄水供給管を構成する給湯管２８が接続されており、給湯管２８は給湯器２９等の給湯源に接続されている。給湯管２８には給湯弁２８ａが介装されており、給湯器２９の湯は給湯弁２８ａの開放により給湯管２８を通って洗浄槽２０の貯水部２１に供給される。
【００１５】
洗浄槽２０の貯水部２１にはその底面に形成した排水口２１ａに排水管３０が接続されており、排水管３０には排水ポンプ３１が介装されている。貯水部２１の洗浄水は排水ポンプ３１の作動により排水管３０を通して外部に排出される。また、洗浄槽２０の貯水部２１には水位検出タンク３２が接続されており、水位検出タンク３２内にはフロートスイッチ（水位センサ）３３が収容されている。フロートスイッチ３３は貯水部２１の洗浄水が洗浄に必要な所定水位Ｌ以上であること検出するものであり、所定水位Ｌ以上となればオンとなり、所定水位Ｌより低ければオフとなる。
【００１６】
洗浄槽２０には洗剤を供給する洗剤供給装置３４が接続されている。洗剤供給装置３４は、洗剤を貯えた図示しない洗剤タンクを着脱可能に装着し、洗剤タンク内の洗剤を洗浄槽２０内に供給するものである。この洗浄機１０ではアルカリ性洗剤またはプロテアーゼ等の酵素を含んだ酵素入り洗剤が用いられ、これら洗剤を貯えた洗剤タンクを交換することでアルカリ性洗剤と酵素入り洗剤を選択的に使用可能となっている。なお、酵素入り洗剤は、プロテアーゼ等の酵素が失活しない温度として５０℃以下での使用が適している。
【００１７】
この洗浄機１０は制御装置４０を備えており、図２に示すように、この制御装置４０には温度センサ２２、洗浄ポンプ２６、給水弁２７ａ、給湯弁２８ａ、排水ポンプ３１、フロートスイッチ３３及び洗剤供給装置３４が接続されている。制御装置４０はマイクロコンピュータ（図示省略）を有しており、マイクロコンピュータは、バスを介してそれぞれ接続されたＣＰＵ、ＲＡＭ、ＲＯＭ及びタイマ（いずれも図示省略）を備えている。ＣＰＵは、温度センサ２２の検出温度、フロートスイッチ３３からのオンオフ信号及びタイマの計時に基づいて、洗浄ポンプ２６、給水弁２７ａ、給湯弁２８ａ、排水ポンプ３１及び洗剤供給装置３４の作動を制御して下記に示す洗浄プログラムを実行する。ＲＡＭは洗浄プログラムを実行するのに必要な変数等を一時的に記憶するものであり、ＲＯＭは洗浄プログラムを記憶するものである。
【００１８】
制御装置４０のＲＯＭに記憶された洗浄プログラムは、本実施形態では、アルカリ性洗剤コースと酵素入り洗剤コースの各洗浄プログラムよりなる。また、各洗浄プログラムは、予洗浄工程、本洗浄工程及び２回の濯ぎ洗浄工程を順に実行するものであり、これら各洗浄工程は、給水処理、洗浄処理及び排水処理を順に実行するものである。各洗浄プログラムの各洗浄工程において、予洗浄工程は、洗剤を用いずに医療用器具の軽度な汚れを除去する工程であり、本洗浄工程は、洗剤を用いて医療用器具に固着している汚れを除去する工程であり、１回目の濯ぎ洗浄工程は、主として洗浄ノズル２３、２４、循環パイプ２５及び洗浄ポンプ２６の洗浄水の流通経路を濯ぐ工程であり、２回目の濯ぎ洗浄工程は、主として医療用器具を濯ぐ工程である。
【００１９】
また、制御装置４０は、ハウジング１１のフロントパネルに設けられた操作パネル４１に接続されている。図３に示すように、操作パネル４１は、運転入／切ボタン４１ａ、洗剤交換ボタン４１ｂ、コース切替ボタン４１ｃ及びスタート／一次停止４１ｄ等の操作ボタンを有しており、これらの操作ボタンを用いてアルカリ性洗剤または酵素入り洗剤を用いた洗浄コースを選択し、これらの洗浄コースを実行及び停止等をさせるものである。また、操作パネル４１の洗剤交換ボタン４１ｂとコース切替ボタン４１ｃとを３秒間以上押し続けると、操作パネル４１は制御装置４０に洗浄工程の洗浄処理をスキップさせるスキップ信号を出力する。また、操作パネル４１は洗浄プログラムが完了するまでの残り時間を表示する表示部４１ｅを有している。
【００２０】
制御装置４０は、各洗浄プログラムが完了するまでの残り時間を算出する算出手段を備えている。算出手段は、操作パネル４１により選択された洗浄プログラムの予洗浄工程、本洗浄工程及び２回の濯ぎ洗浄工程よりなる各洗浄工程の給水時間、洗浄時間及び排水時間に要する時間から洗浄プログラムが完了するまでの残り時間を算出するものである。制御装置４０は、この算出手段により算出した残り時間を操作パネル４１の表示部４１ｅに表示するように制御する。また、制御装置４０は、操作パネル４１からスキップ信号が入力されて洗浄処理をスキップさせたときに、算出手段を実行してそこから洗浄プログラムが完了するまでの残り時間を算出し、算出した残り時間を表示部４１ｅに表示するように制御する。
【００２１】
次に、この洗浄機１０の洗浄プログラムの一例として、アルカリ性洗剤コースの洗浄プログラムについて説明する。制御装置４０は、先ずステップ１０１〜１０６により予洗浄工程を実行させる。制御装置４０は、ステップ１０１において、算出手段により洗浄プログラムが完了するまでの残り時間を算出し、算出した残り時間を操作パネル４１の表示部４１ｅに表示する。制御装置４０は、ステップ１０２において、給水弁２７ａと給湯弁２８ａとを開放させて、予洗浄工程での給水処理を開始させる。これにより、給水源及び給湯器２９の水及び湯は給水管２７及び給湯管２８を通って洗浄槽２０の貯水部２１に送出される。制御装置４０は、ステップ１０３において、フロートスイッチ３３の検出により貯水部２１の洗浄水が所定水位Ｌとなったか否かを判定する。制御装置４０は、ステップ１０３において、貯水部２１の洗浄水が所定水位Ｌとなるまで「ＮＯ」と繰り返し判定しているなかで、貯水部２１の洗浄水が所定水位Ｌとなってフロートスイッチ３３からオン信号が入力されると「ＹＥＳ」と判定してステップ１０４に進める。制御装置４０は、ステップ１０４において、給水弁２７ａと給湯弁２８ａとを閉止させて給水処理を終了させる。
【００２２】
次に、制御装置４０は、ステップ１０５において、予洗浄工程での洗浄処理として洗浄ポンプ２６を１分間作動させる。これにより、貯水部２１内の洗浄水は循環パイプ２５を介して洗浄ノズル２３、２４に圧送され、洗浄ノズル２３、２４は回転しながら洗浄水を医療用器具に噴射して洗浄する。この洗浄処理後、制御装置４０は、ステップ１０６において、排水処理として排水ポンプ３１を所定時間として３０秒間作動させる。これにより、貯水部２１内の洗浄水は排水管３０を通って機外に排出される。
【００２３】
ステップ１０１〜１０６による予洗浄工程が終了すると、制御装置４０は、ステップ１１１〜１２０により本洗浄工程を実行させる。この本洗浄工程では、制御装置４０は、ステップ１１１において、給湯弁２８ａを開放させて、本洗浄工程での給湯処理を開始させる。これにより、給湯器２９の湯は給湯管２８を通って洗浄槽２０の貯水部２１に送出される。制御装置４０は、ステップ１１２において、フロートスイッチ３３による検出により貯水部２１の洗浄水が所定水位Ｌとなったか否かを判定する。制御装置４０は、ステップ１１２において、貯水部２１の洗浄水が所定水位Ｌとなるまで「ＮＯ」と繰り返し判定しているなかで、貯水部２１の洗浄水が所定水位Ｌとなってフロートスイッチ３３からオン信号が入力されると「ＹＥＳ」と判定してステップ１１３に進める。制御装置４０は、ステップ１１３において、給湯弁２８ａを閉止させて給湯処理を終了させる。
【００２４】
次に、制御装置４０は、本洗浄工程での洗浄処理として、ステップ１１４において、洗剤供給装置３４により洗浄槽２０内にアルカリ性洗剤を供給させ、ステップ１１５において、洗浄ポンプ２６の作動を開始させる。これにより、貯水部２１内のアルカリ性洗剤を含んだ洗浄水は循環パイプ２５を介して洗浄ノズル２３、２４に圧送され、洗浄ノズル２３、２４は回転しながらこの洗浄水を医療用器具に噴射して洗浄する。次に、制御装置４０は、ステップ１１６において、操作パネル４１からスキップ信号が入力されたか否かを判定し、スキップ信号が入力されなければ「ＮＯ」と判定してステップ１１７に進める。制御装置４０は、ステップ１１７において、洗浄ポンプ２６の作動を開始させてから３分経過したか否かを判定し、３分経過していなければ「ＮＯ」と判定してステップ１１６に戻す。
【００２５】
医療用器具を洗浄する通常の洗浄処理をするときであれば、操作パネル４１から制御装置４０にスキップ信号が入力されないので、ステップ１１６と１１７の処理を繰り返し実行しているときに、洗浄ポンプ２６の作動開始から３分経過したら、制御装置４０は、ステップ１１７において「ＹＥＳ」と判定してステップ１１８に進める。制御装置４０は、ステップ１１８において、洗浄ポンプ２６の作動を停止させる。
【００２６】
これに対し、洗浄機１０の動作確認をするときであれば、ステップ１１６と１１７の処理を繰り返し実行しているとき（またはステップ１１６の処理直後）に、ユーザが操作パネル４１の洗剤交換ボタン４１ｂとコース切替ボタン４１ｃとの両ボタンを一度に３秒以上押し続けることにより、操作パネル４１からスキップ信号が入力され、制御装置４０は、ステップ１１６において「ＹＥＳ」と判定してステップ１１８に進める。制御装置４０は、ステップ１１８において、洗浄ポンプ２６の作動開始から３分経過する前に洗浄ポンプ２６の作動を停止させる。このように、制御装置４０は、操作パネル４１からのスキップ信号の入力により、直ちに洗浄ポンプ２６の作動を停止させて、洗浄処理をスキップさせている。次に、制御装置４０は、ステップ１１９において、排水処理として排水ポンプ３１を所定時間として３０秒間作動させる。これにより、貯水部２１内の洗浄水は排水管３０を通って機外に排出される。次に、制御装置４０は、ステップ１２０において、算出手段により洗浄プログラムが終了するまでの残り時間を再計算し、再計算した残り時間を操作パネル４１の表示部４１ｅに表示する。
【００２７】
ステップ１１１〜１２０による本洗浄工程が終了すると、制御装置４０は、ステップ１２１〜１３０により濯ぎ洗浄工程を２回実行させる。この濯ぎ洗浄工程では、制御装置４０は、ステップ１２１において、給湯弁２８ａを開放させて、濯ぎ洗浄工程での給湯処理を開始させる。これにより、給湯器２９の湯は給湯管２８を通って洗浄槽２０の貯水部２１に送出される。制御装置４０は、ステップ１２２において、フロートスイッチ３３の検出により貯水部２１の洗浄水が所定水位Ｌとなったか否かを判定する。制御装置４０は、ステップ１２２において、貯水部２１の洗浄水が所定水位Ｌとなるまで「ＮＯ」と繰り返し判定しているなかで、貯水部２１の洗浄水が所定水位Ｌとなってフロートスイッチ３３からオン信号が入力されると「ＹＥＳ」と判定してステップ１２３に進める。制御装置４０は、ステップ１２３において、給湯弁２８ａを閉止させて給湯処理を終了させる。
【００２８】
次に、制御装置４０は、ステップ１２４において、濯ぎ洗浄工程での洗浄処理として洗浄ポンプ２６の作動を開始させる。これにより、貯水部２１内の洗浄水は循環パイプ２５を介して洗浄ノズル２３、２４に圧送され、洗浄ノズル２３、２４は回転しながら洗浄水を医療用器具に噴射して、洗剤を含んだ洗浄水を洗い流す。次に、制御装置４０は、ステップ１２５において、操作パネル４１からスキップ信号が入力されたか否かを判定し、スキップ信号が入力されなければ「ＮＯ」と判定してステップ１２６に進める。制御装置４０は、ステップ１２６において、洗浄ポンプ２６の作動を開始させてから１５秒間経過したかを判定し、１５秒間経過していなければ「ＮＯ」と判定してステップ１２５に戻す。
【００２９】
医療用器具を洗浄する通常の洗浄処理をするときであれば、操作パネル４１から制御装置４０にスキップ信号が入力されないので、ステップ１２５と１２６の処理を繰り返し実行しているときに、洗浄ポンプ２６の作動開始から１５秒間経過したら、制御装置４０は、ステップ１２６において「ＹＥＳ」と判定してステップ１２７に進める。制御装置４０は、ステップ１２７において、洗浄ポンプ２６の作動を停止させる。
【００３０】
これに対し、洗浄機１０の動作確認をするときであれば、ステップ１２５と１２６の処理を繰り返し実行しているとき（またはステップ１２５の処理直後）に、ユーザが操作パネル４１の洗剤交換ボタン４１ｂとコース切替ボタン４１ｃとの両ボタンを一度に３秒以上押し続けることにより、操作パネル４１からスキップ信号が入力され、制御装置４０は、ステップ１２５において「ＹＥＳ」と判定してステップ１２７に進める。制御装置４０は、ステップ１２７において、洗浄ポンプ２６の作動開始から１５秒経過する前に洗浄ポンプの作動を停止させる。このように、制御装置４０は、操作パネル４１からのスキップ信号の入力により、直ちに洗浄ポンプ２６の作動を停止させて、洗浄処理をスキップさせている。次に、制御装置４０は、ステップ１２８において、排水処理として排水ポンプ３１を所定時間として３０秒間作動させる。これにより、貯水部２１内の洗浄水は排水管３０を通って機外に排出される。次に、制御装置４０は、ステップ１２９において、算出手段により洗浄プログラムが終了するまでの残り時間を再計算し、再計算した残り時間を操作パネル４１の表示部４１ｅに表示する。制御装置４０は、ステップ１３０において、濯ぎ洗浄工程を２回実行したか否かを判定し、２回実行していないときには「ＮＯ」と判定して、上述したステップ１２１〜１２９における処理を実行する。これに対し、濯ぎ洗浄工程を２回実行したら、制御装置４０は、ステップ１３０において、「ＹＥＳ」と判定してアルカリ性洗剤コースによる洗浄プログラムを終了する。
【００３１】
上述した洗浄機１０においては、制御装置４０は洗浄プログラムの本洗浄工程及び２回の濯ぎ洗浄工程の各洗浄処理をスキップさせるスキップ手段を備えたので、洗浄機１０の動作確認をするために洗浄プログラムを実行したときに、スキップ手段により本洗浄工程と２回の濯ぎ洗浄工程の各洗浄処理をスキップさせることができ、動作確認の時間を短縮させることができる。なお、本実施形態においては、スキップ手段により本洗浄工程と２回の濯ぎ洗浄工程の洗浄処理をスキップさせるようにしているが、本発明はこれに限られるものでなく、さらに予洗浄工程の洗浄処理をスキップさせるようにしてもよく、このようにすれば、動作確認の時間をさらに短縮させることができる。また、他の実施形態においては、濯ぎ洗浄工程の洗浄処理をスキップさせずに、洗浄時間の長い本洗浄工程の洗浄処理だけをスキップさせてもよい。
【００３２】
また、この洗浄機１０においては、洗浄プログラムは予洗浄工程と、本洗浄工程と２回の濯ぎ洗浄工程よりなり、各洗浄工程のうち洗浄時間の長い本洗浄工程の洗浄処理と２回の濯ぎ洗浄工程の洗浄処理をスキップ手段により選択的にスキップさせている。これにより、洗浄機１０の動作確認をするときに、予洗浄工程による洗浄処理をしたときに洗浄処理の動作確認をすることができ、本洗浄工程の長い洗浄処理と２回の濯ぎ処理工程の洗浄処理をスキップさせて動作確認の時間を効果的に短縮させることができる。
【００３３】
また、この洗浄機１０においては、洗浄機１０の操作をする操作パネル４１によりスキップ手段を実行させるようにしているので、操作パネル４１による操作によりスキップ手段を容易に実行できる。また、本洗浄工程及び２回の濯ぎ洗浄工程の各洗浄処理中に操作パネル４１の洗剤交換ボタン４１ｂ及びコース切替ボタン４１ｃの両ボタンを一度に３秒以上押し続けることによりスキップ手段を実行しているので、通常の洗浄をさせているときに、操作パネル４１の各ボタンを押し間違えることによって、洗浄処理を誤ってスキップさせないようにすることができる。また、操作パネル４１の既存のボタンを用いて本洗浄工程の洗浄処理をスキップするスキップ手段を実行させているので、操作パネル４１の変更をすることなくコストアップとならない。
【００３４】
また、この洗浄機１０においては、制御装置４０は洗浄プログラムが完了するまでの残り時間を算出する算出手段を備え、操作パネル４１はこの算出手段により算出された残り時間を表示する表示部４１ｅを備え、制御装置４０はスキップ手段を実行したときに算出手段を実行して操作パネル４１の表示部４１ｅに残り時間を表示したので、洗浄処理をスキップさせて短くなった正確な残り時間を知ることができる。
【００３５】
本実施形態においては、貯水部２１に洗浄水を供給する洗浄水供給管として給水管２７と給湯管２８とを用いたが、本発明はこれに限られるものでなく、給水管２７または給湯管２８の何れか一方だけで貯水部２１に洗浄水を供給するようにしてもよく、このようにしたときにも本発明と同様の作用効果を得ることができる。
【符号の説明】
【００３６】
１０…洗浄機、２０…洗浄槽、２１…貯水部、２３、２４…洗浄ノズル、２６…洗浄ポンプ、２７、２８…洗浄水供給管（給水管、給湯管）、３０、３１…排水手段（排水管、排水ポンプ）、４０…制御装置。
【図１】
0005670847.tif 000002
【図２】
0005670847.tif 000003
【図３】
0005670847.tif 000004
【図４】
0005670847.tif 000005